(57)【要約】【課題】補助加圧ポンプを不要にすると共に、スプリンクラー消火ポンプとして迅速に起動できるようにする。【解決手段】スプリンクラー消火ポンプシステムは、スプリンクラー消火ポンプ３と、圧力タンク１０と、送水管７内の圧力を検出する圧力検出手段８，２８と、前記スプリンクラー消火ポンプを運転制御する制御装置１６を備えている。前記スプリンクラー消火ポンプは、送水管７内の圧力が低下したとき設定値以上に加圧する送水管増圧運転領域と、スプリンクラー消火ポンプとして運転可能なスプリンクラー運転領域を確保できるポンプ性能を備える。前記圧力検出手段は、増圧運転始動圧力ＰＳ２と、スプリンクラー運転始動圧力ＰＳ１を検出可能で、前記制御装置は、前記圧力検出手段からの信号に基づいて前記スプリンクラー消火ポンプを、送水管増圧運転領域或いはスプリンクラー運転領域で運転させる。【選択図】図１
2011239930.tif 000002
【特許請求の範囲】
【請求項１】
水源からの水を加圧し送水管を介してスプリンクラーに送水するスプリンクラー消火ポンプと、内部に空気溜りを有し前記送水管の途中に連結された圧力タンクと、前記送水管内の圧力を検出する圧力検出手段と、前記圧力検出手段からの検出信号に基づいて前記スプリンクラー消火ポンプを運転制御する制御装置を備えたスプリンクラー消火ポンプシステムにおいて、
前記スプリンクラー消火ポンプは、前記送水管内の圧力が設定値よりも低下したとき前記送水管内圧力を設定値以上に加圧する運転が可能な送水管増圧運転領域と、前記スプリンクラーが開放された際に該スプリンクラーに必要量の水を供給してスプリンクラー消火ポンプとして運転可能なスプリンクラー運転領域を確保できるポンプ性能を備えるものであり、
前記圧力検出手段は、前記スプリンクラー消火ポンプを送水管増圧運転領域で始動させるための増圧運転始動圧力と、前記スプリンクラー消火ポンプをスプリンクラー運転領域で運転させるためのスプリンクラー運転始動圧力を検出可能なものであり、
前記制御装置は、前記圧力検出手段が前記増圧運転始動圧力を検出した場合、前記スプリンクラー消火ポンプを送水管増圧運転領域で運転させ、前記圧力検出手段が前記スプリンクラー運転始動圧力を検出した場合、前記スプリンクラー消火ポンプをスプリンクラー運転領域で運転させる
ことを特徴とするスプリンクラー消火ポンプシステム。
【請求項２】
水源からの水を加圧し送水管を介してスプリンクラーに送水するスプリンクラー消火ポンプと、内部に空気溜りを有し前記送水管の途中に連結された圧力タンクと、前記送水管内の圧力を検出する圧力検出手段と、前記圧力検出手段からの検出信号に基づいて前記スプリンクラー消火ポンプを運転制御する制御装置を備えたスプリンクラー消火ポンプシステムにおいて、
前記スプリンクラー消火ポンプは、前記送水管内の圧力が設定値よりも低下したとき前記送水管内圧力を設定値以上に加圧する運転が可能な送水管増圧運転領域と、前記スプリンクラーが開放された際に該スプリンクラーに必要量の水を供給してスプリンクラー消火ポンプとして運転可能なスプリンクラー運転領域を確保できるポンプ性能を備えるものであり、
前記圧力検出手段は、前記スプリンクラー消火ポンプを送水管増圧運転領域で始動させるための増圧運転始動圧力と、前記送水管内の圧力が設定値以上に増圧された場合に増圧運転を停止させるための停止圧力と、前記スプリンクラー消火ポンプをスプリンクラー運転領域で運転させるためのスプリンクラー運転始動圧力を検出可能なものであり、
前記制御装置は、前記圧力検出手段が前記増圧運転始動圧力を検出した場合、前記スプリンクラー消火ポンプを送水管増圧運転領域で運転させ、前記圧力検出手段が前記停止圧力を検出した場合、前記送水管増圧運転領域での運転を停止させる
ことを特徴とするスプリンクラー消火ポンプシステム。
【請求項３】
水源からの水を加圧し送水管を介してスプリンクラーに送水するスプリンクラー消火ポンプと、内部に空気溜りを有し前記送水管の途中に連結された圧力タンクと、前記送水管内の圧力を検出する圧力検出手段と、前記圧力検出手段からの検出信号に基づいて前記スプリンクラー消火ポンプを運転制御する制御装置を備えたスプリンクラー消火ポンプシステムにおいて、
前記スプリンクラー消火ポンプは、前記送水管内の圧力が設定値よりも低下したとき前記送水管内圧力を設定値以上に加圧する運転が可能な送水管増圧運転領域と、前記スプリンクラーが開放された際に該スプリンクラーに必要量の水を供給してスプリンクラー消火ポンプとして運転可能なスプリンクラー運転領域を確保できるポンプ性能を備えるものであり、
前記圧力検出手段は、前記スプリンクラー消火ポンプを送水管増圧運転領域で始動させるための増圧運転始動圧力と、前記スプリンクラー消火ポンプをスプリンクラー運転領域で運転させるためのスプリンクラー運転始動圧力を検出可能なものであり、
前記制御装置は、前記圧力検出手段が前記スプリンクラー運転始動圧力を検出した場合、前記スプリンクラー消火ポンプをスプリンクラー運転領域で運転させる
ことを特徴とするスプリンクラー消火ポンプシステム。
【請求項４】
請求項１に記載のスプリンクラー消火ポンプシステムにおいて、
前記圧力検出手段は、前記スプリンクラー消火ポンプを送水管増圧運転領域で始動させるための増圧運転始動圧力と、前記送水管内の圧力が設定値以上に増圧された場合に増圧運転を停止させるための停止圧力と、前記スプリンクラー消火ポンプをスプリンクラー運転領域で運転させるためのスプリンクラー運転始動圧力と、スプリンクラー運転領域での運転開始後前記送水管内の圧力が所定値以上に上昇したことを示す復帰圧力を検出可能なものであり、
前記制御装置は、前記圧力検出手段が前記増圧運転始動圧力を検出して前記スプリンクラー消火ポンプを送水管増圧運転領域で運転させた後、前記圧力検出手段が前記スプリンクラー運転始動圧力を検出した場合、前記スプリンクラー消火ポンプをスプリンクラー運転領域での運転に移行させるように制御し、その後、送水管内圧力が上昇して前記圧力検出手段が前記復帰圧力或いは前記停止圧力を検出しても前記スプリンクラー消火ポンプはスプリンクラー領域運転での運転を維持する
ことを特徴とするスプリンクラー消火ポンプシステム。
【請求項５】
請求項１〜４の何れかに記載のスプリンクラー消火ポンプシステムにおいて、前記制御装置は、マイクロプロセッサー及び記憶部を有しており、この記憶部には、前記送水管増圧運転領域での運転処理を行わせるためのプログラム、前記スプリンクラー運転領域での運転処理を行わせるためのプログラム、前記増圧運転始動圧力及び前記スプリンクラー運転始動圧力が記憶されていて、前記圧力検出手段が前記増圧運転始動圧力を検出した場合、前記スプリンクラー消火ポンプを送水管増圧運転領域で運転させるための運転指令信号を出力し、前記圧力検出手段が前記スプリンクラー運転始動圧力を検出した場合、前記スプリンクラー消火ポンプをスプリンクラー運転領域で運転させるための運転指令信号を出力することを特徴とするスプリンクラー消火ポンプシステム。
【請求項６】
請求項２に記載のスプリンクラー消火ポンプシステムにおいて、前記制御装置は、マイクロプロセッサー及び記憶部を有しており、この記憶部には、前記送水管増圧運転領域での運転処理を行わせるためのプログラム、前記スプリンクラー運転領域での運転処理を行わせるためのプログラム、前記増圧運転始動圧力、前記停止圧力及び前記スプリンクラー運転始動圧力が記憶されていて、前記圧力検出手段が前記増圧運転始動圧力を検出した場合、前記スプリンクラー消火ポンプを送水管増圧運転領域で運転させるための運転指令信号を出力し、前記圧力検出手段が前記停止圧力を検出した場合、前記送水管増圧運転領域での運転を停止させる指令信号を出力することを特徴とするスプリンクラー消火ポンプシステム。
【請求項７】
請求項４に記載のスプリンクラー消火ポンプシステムにおいて、前記制御装置は、マイクロプロセッサー及び記憶部を有しており、この記憶部には、前記送水管増圧運転領域での運転処理を行わせるためのプログラム、前記スプリンクラー運転領域での運転処理を行わせるためのプログラム、前記増圧運転始動圧力、前記停止圧力、前記スプリンクラー運転始動圧力及び前記復帰圧力が記憶されていて、前記圧力検出手段が前記増圧運転始動圧力を検出した場合前記スプリンクラー消火ポンプを送水管増圧運転領域で運転させるための運転指令信号を出力し、その後、前記圧力検出手段が前記スプリンクラー運転始動圧力を検出した場合、前記スプリンクラー消火ポンプをスプリンクラー運転領域での運転に移行させるための運転指令信号を出力し、更にその後、送水管内圧力が上昇して前記圧力検出手段が前記復帰圧力或いは前記停止圧力を検出しても前記スプリンクラー消火ポンプはスプリンクラー運転領域での運転が維持されるように制御される
ことを特徴とするスプリンクラー消火ポンプシステム。
【請求項８】
請求項１〜５の何れかに記載のスプリンクラー消火ポンプシステムにおいて、前記圧力検出手段は、前記スプリンクラー消火ポンプをスプリンクラー運転領域で運転させるためのスプリンクラー運転始動圧力を検出するための第１の圧力検出手段と、前記スプリンクラー消火ポンプを送水管増圧運転領域で始動させるための増圧運転始動圧力を検出するための第２の圧力検出手段とを備えていることを特徴とするスプリンクラー消火ポンプシステム。
【請求項９】
請求項２または６に記載のスプリンクラー消火ポンプシステムにおいて、前記圧力検出手段は、前記スプリンクラー消火ポンプをスプリンクラー運転領域で運転させるためのスプリンクラー運転始動圧力を検出するための第１の圧力検出手段と、前記スプリンクラー消火ポンプを送水管増圧運転領域で始動させるための増圧運転始動圧力及び前記送水管内の圧力が設定値以上に増圧された場合に増圧運転を停止させるための停止圧力を検出するための第２の圧力検出手段とを備えていることを特徴とするスプリンクラー消火ポンプシステム。
【請求項１０】
請求項４または７に記載のスプリンクラー消火ポンプシステムにおいて、前記圧力検出手段は、前記スプリンクラー消火ポンプをスプリンクラー運転領域で運転させるためのスプリンクラー運転始動圧力及びスプリンクラー運転領域での運転開始後前記送水管内の圧力が所定値以上に上昇したことを示す復帰圧力を検出するための第１の圧力検出手段と、前記スプリンクラー消火ポンプを送水管増圧運転領域で始動させるための増圧運転始動圧力及び前記送水管内の圧力が設定値以上に増圧された場合に増圧運転を停止させるための停止圧力を検出するための第２の圧力検出手段を備えていることを特徴とするスプリンクラー消火ポンプシステム。
【請求項１１】
請求項１〜７の何れかに記載のスプリンクラー消火ポンプシステムにおいて、前記圧力検出手段は、１つの圧力センサにより、前記スプリンクラー消火ポンプをスプリンクラー運転領域で運転させるためのスプリンクラー運転始動圧力、スプリンクラー運転領域での運転開始後前記送水管内の圧力が所定値以上に上昇したことを示す復帰圧力、前記スプリンクラー消火ポンプを送水管増圧運転領域で始動させるための増圧運転始動圧力及び前記送水管内の圧力が設定値以上に増圧された場合に増圧運転を停止させるための停止圧力のうち少なくとも２つ以上を検出するものであることを特徴とするスプリンクラー消火ポンプシステム。
【請求項１２】
請求項５〜７の何れかに記載のスプリンクラー消火ポンプシステムにおいて、前記制御装置は更に設定手段を有しており、この設定手段から前記記憶部に、前記送水管増圧運転領域での運転処理を行わせるためのプログラム、前記スプリンクラー運転領域での運転処理を行わせるためのプログラム、前記増圧運転始動圧力、前記停止圧力、前記スプリンクラー運転始動圧力及び前記復帰圧力の少なくとも何れかを記憶させることを特徴とするスプリンクラー消火ポンプシステム。
【請求項１３】
請求項１〜１２の何れかに記載のスプリンクラー消火ポンプシステムにおいて、前記制御装置は、前記送水管増圧運転領域での運転中はこれに対応した報知を出力し、前記スプリンクラー運転領域での運転中はこれに対応した警報表示及び警報を出力することで、前記スプリンクラー消火ポンプが何れの領域で運転されているのかを報知する手段を備えていることを特徴とするスプリンクラー消火ポンプシステム。
【請求項１４】
請求項１〜１３の何れかに記載のスプリンクラー消火ポンプシステムにおいて、前記制御装置には、外部からの運転指令により前記スプリンクラー消火ポンプをスプリンクラー運転領域で運転させるための手段を備えていることを特徴とするスプリンクラー消火ポンプシステム。
【発明の詳細な説明】
【技術分野】
【０００１】
本発明は、補助加圧ポンプとスプリンクラー消火ポンプを兼用したスプリンクラー消火ポンプシステムに関する。
【背景技術】
【０００２】
スプリンクラー消火ポンプシステムは、火災発生時に送水管途中に取り付けているスプリンクラーが開放されると、水圧の低下を圧力検出手段が検出することによって、或いは外部からの始動指令（始動リレー）によって、更には人為的な運転操作などによって、スプリンクラー消火ポンプが速やかに運転され、給水されなければならない。
【０００３】
従来のスプリンクラー消火ポンプシステムの例を図５及び図６により説明する。  
図５はスプリンクラー消火ポンプシステムの系統図である。図において、１は消火水槽などの水源、２はフート弁、３はモータ４により駆動されるスプリンクラー消火ポンプ、７は送水管、９ａ，９ｂ，９ｃはこの送水管途中に設けられたスプリンクラーである。火災時はこのスプリンクラー９ａ，９ｂ，９ｃが開放され、火災発生場所などに消火用水を散水して消火する。また、これらスプリンクラー９ａ，９ｂ，９ｃには、その開放時に信号Ｓ１，Ｓ２，Ｓ３を出力するスイッチが備えられており、火災報知器１７は前記信号Ｓ１，Ｓ２，Ｓ３を受信して警報を発する。
【０００４】
１６は前記スプリンクラー消火ポンプ３を運転制御する制御盤（制御装置）であり、前記火災報知器１７からの始動指令信号Ｓ４を受信する。１０は内部に空気溜まりを有し前記スプリンクラー消火ポンプ３の吐出側近くの前記送水管７に接続される圧力タンク、８は前記スプリンクラー消火ポンプ３の吐出側近くの前記送水管７に取り付けられてここの圧力を検出する圧力検出手段で、送水管７内の圧力が所定値以下に低下すると圧力検出手段８から信号Ｓ５が前記制御盤１６に送信され、制御盤１６からは前記スプリンクラー消火ポンプ３の始動指令を発する信号Ｓ６が前記モータ４に送信される。また、前記送水管７の上流側（スプリンクラー消火ポンプの出口側）には逆止弁５及び仕切弁６が設けられている。
【０００５】
１３は、ボールタップなどの注水手段１４を備え、これにより水道水が注水される呼水槽であり、呼び水配管１１及び逆止弁１２を介して前記スプリンクラー消火ポンプ３へ補水し、吸込管２ａ内の空気を除去し、スプリンクラー消火ポンプ３の吸込側を常に満水状態にしてスプリンクラー消火ポンプ３がいつでも始動できるように準備されている。また、前記呼水槽１３は水位検出手段１５を備えており、これにより呼水槽の水位の監視制御がされる。
【０００６】
２２はボールタップなどの注水手段２３を備え、これにより水道水が注水される貯水槽であり、水位検出手段３１により水位の監視制御がされる。２０はモータ２１により駆動される補助加圧ポンプ（ジョッキーポンプとも呼ばれる）であり、前記貯水槽２２の水を吸込管２４及び仕切弁２５を介して吸い込み、逆止弁２６、仕切弁２７及び送水管２９を通して前記送水管７に送られ、該送水管７を加圧する。２８は前記送水管２９に取り付けられ該送水管２９内の圧力を検出する圧力検出手段であり、この圧力検出手段２８は前記圧力検出手段８よりは高い圧力に設定されており、この圧力検出手段２８からの信号Ｓ８は制御盤３０に送られ、この制御盤３０から通信線を介して信号Ｓ７をモータ２１に送り、前記補助加圧ポンプ２０の始動停止制御が為される。
【０００７】
前記送水管７は漏水により水圧低下を起こすことがあり、この場合前記圧力検出手段８が作動して、火災が発生していないにも拘らず、スプリンクラー消火ポンプ３を運転させてしまうことがある。
【０００８】
これを防止するため、圧力検出手段２８の圧力設定値は圧力検出手段８の圧力設定値よりも高く設定されており、送水管７の水圧が低下すると、まず前記補助加圧ポンプ２０が作動するように構成されている。これによって僅かな漏水であれば、前記送水管７内の圧力を前記圧力検出手段８の設定値以上に保持することができるから前記スプリンクラー消火ポンプ３の誤動作を防止できる。
【０００９】
図６はスプリンクラー消火ポンプ及び補助加圧ポンプの運転特性図の例を示すものであり、横軸は水量Ｑを、縦軸は全揚程Ｈを示す。  
曲線Ａはスプリンクラー消火ポンプ３のＱ−Ｈ性能曲線であり、このスプリンクラー消火ポンプ３は、商用電源（周波数ｆ０）における運転で仕様点Ｏ１（水量Ｑ０、全揚程ＨＴＳ）を満足するものが選ばれている。同様に曲線Ｂは補助加圧ポンプ２０のＱ−Ｈ性能曲線であり、商用電源（周波数ｆ０）における運転で仕様点Ｏ２（水量Ｑｍｉｎ、全揚程ＪＴＳ）を満足するものが選ばれている。
【００１０】
ＳＰＯＮは前記スプリンクラー消火ポンプ３の始動圧力であり、圧力検出手段８のＯＮ圧力として設定される。また、ＳＰＯＦＦはスプリンクラー消火ポンプ３の復帰圧力である。同様に、ＪＰＯＮは補助加圧ポンプ２０の始動圧力、ＪＰＯＦＦは補助加圧ポンプ２０の停止圧力であり、前記圧力検出手段２８で設定される圧力である。
【００１１】
即ち、送水管７或いは送水管２９の系統で漏水が生じた場合、前記圧力検出手段２８は前記圧力検出手段８よりは高い圧力に設定されているので、送水管７，２９内の圧力がＪＰＯＮ以下に低下すると、まず補助加圧ポンプ２０が前記スプリンクラー消火ポンプ３が始動する前に始動し、送水管７，２９内の圧力がＪＰＯＦＦを越えると停止するように構成されている。
【００１２】
なお、この種従来技術として、補助加圧ポンプを用いるものとしては特許文献１に記載のものなどがある。  
また、特許文献２には、下限設定圧力に達するとスプリンクラー消化ポンプをタイマーにより一定時間起動した後停止させ、更に一定時間経過後の圧力状態を見て、単なる漏水なのかスプリンクラーによる放水なのかを判別し、スプリンクラーによる放水であると判断された場合にのみ前記スプリンクラー消化ポンプを連続運転させることにより補助加圧ポンプを不要にした発明が記載されている。
【先行技術文献】
【特許文献】
【００１３】
【特許文献１】特開２００９−２６１６７１号公報
【特許文献２】特開２０００−２５４２４５号公報
【発明の概要】
【発明が解決しようとする課題】
【００１４】
スプリンクラー消火ポンプシステムにおいて、このスプリンクラー消火ポンプは送水管の漏水によって火災が発生していなくても運転して警報を発することがあり、保守及び警備上、問題を引起すことがある。これを防止するために、図５に示したものや特許文献１に記載されているように補助加圧ポンプを設けるものがあるが、このような従来技術では補助加圧ポンプが必要であると共に、その送水系統及び付帯電気設備を設ける必要があり、高価な設備となる課題がある。
【００１５】
また、特許文献２に示すものでは、補助加圧ポンプを不要にしているものの、単なる漏水なのかスプリンクラーによる放水なのかを判別するためにタイマーを用いて判別するため、その判別に時間を要し、スプリンクラーによる放水であった場合にはスプリンクラー消火ポンプの連続起動運転開始が遅れてしまう課題がある。タイマーの設定時間を短くすると、単なる漏水なのかスプリンクラーによる放水なのかの判断を誤る可能性が高くなり、単なる漏水であるにもかかわらずスプリンクラー消火ポンプを連続運転し、火災が発生していなくても警報を発して、保守及び警備上、問題を引起す課題がある。
【００１６】
本発明の目的は、補助加圧ポンプ、及びその送水系統や付帯電気設備を不要にすると共に、スプリンクラーによる放水時には迅速にスプリンクラー消火ポンプを起動できるスプリンクラー消火ポンプシステムを得ることにある。
【００１７】
本発明の他の目的は、スプリンクラー消火ポンプが補助加圧ポンプとしての代替運転を行っているときは、その表示或いは報知をすることで、警備上の措置をとらなくて済むようにしたスプリンクラー消火ポンプシステムを得ることにある。
【課題を解決するための手段】
【００１８】
上記目的を達成するための本発明の第１の特徴は、水源からの水を加圧し送水管を介してスプリンクラーに送水するスプリンクラー消火ポンプと、内部に空気溜りを有し前記送水管の途中に連結された圧力タンクと、前記送水管内の圧力を検出する圧力検出手段と、前記圧力検出手段からの検出信号に基づいて前記スプリンクラー消火ポンプを運転制御する制御装置を備えたスプリンクラー消火ポンプシステムにおいて、前記スプリンクラー消火ポンプは、前記送水管内の圧力が設定値よりも低下したとき前記送水管内圧力を設定値以上に加圧する運転が可能な送水管増圧運転領域と、前記スプリンクラーが開放された際に該スプリンクラーに必要量の水を供給してスプリンクラー消火ポンプとして運転可能なスプリンクラー運転領域を確保できるポンプ性能を備えるものであり、前記圧力検出手段は、前記スプリンクラー消火ポンプを送水管増圧運転領域で始動させるための増圧運転始動圧力と、前記スプリンクラー消火ポンプをスプリンクラー運転領域で運転させるためのスプリンクラー運転始動圧力を検出可能なものであり、前記制御装置は、前記圧力検出手段が前記増圧運転始動圧力を検出した場合、前記スプリンクラー消火ポンプを送水管増圧運転領域で運転させ、前記圧力検出手段が前記スプリンクラー運転始動圧力を検出した場合、前記スプリンクラー消火ポンプをスプリンクラー運転領域で運転させることにある。
【００１９】
上記において、前記圧力検出手段は、前記スプリンクラー消火ポンプを送水管増圧運転領域で始動させるための増圧運転始動圧力と、前記送水管内の圧力が設定値以上に増圧された場合に増圧運転を停止させるための停止圧力と、前記スプリンクラー消火ポンプをスプリンクラー運転領域で運転させるためのスプリンクラー運転始動圧力と、スプリンクラー運転領域での運転開始後前記送水管内の圧力が所定値以上に上昇したことを示す復帰圧力を検出可能なものであり、前記制御装置は、前記圧力検出手段が前記増圧運転始動圧力を検出して前記スプリンクラー消火ポンプを送水管増圧運転領域で運転させた後、前記圧力検出手段が前記スプリンクラー運転始動圧力を検出した場合、前記スプリンクラー消火ポンプをスプリンクラー運転領域での運転に移行させるように制御し、その後、送水管内圧力が上昇して前記圧力検出手段が前記復帰圧力或いは前記停止圧力を検出しても前記スプリンクラー消火ポンプはスプリンクラー領域運転での運転を維持するように制御することが好ましい。
【００２０】
本発明の第２の特徴は、水源からの水を加圧し送水管を介してスプリンクラーに送水するスプリンクラー消火ポンプと、内部に空気溜りを有し前記送水管の途中に連結された圧力タンクと、前記送水管内の圧力を検出する圧力検出手段と、前記圧力検出手段からの検出信号に基づいて前記スプリンクラー消火ポンプを運転制御する制御装置を備えたスプリンクラー消火ポンプシステムにおいて、前記スプリンクラー消火ポンプは、前記送水管内の圧力が設定値よりも低下したとき前記送水管内圧力を設定値以上に加圧する運転が可能な送水管増圧運転領域と、前記スプリンクラーが開放された際に該スプリンクラーに必要量の水を供給してスプリンクラー消火ポンプとして運転可能なスプリンクラー運転領域を確保できるポンプ性能を備えるものであり、前記圧力検出手段は、前記スプリンクラー消火ポンプを送水管増圧運転領域で始動させるための増圧運転始動圧力と、前記送水管内の圧力が設定値以上に増圧された場合に増圧運転を停止させるための停止圧力と、前記スプリンクラー消火ポンプをスプリンクラー運転領域で運転させるためのスプリンクラー運転始動圧力を検出可能なものであり、前記制御装置は、前記圧力検出手段が前記増圧運転始動圧力を検出した場合、前記スプリンクラー消火ポンプを送水管増圧運転領域で運転させ、前記圧力検出手段が前記停止圧力を検出した場合、前記送水管増圧運転領域での運転を停止させることにある。
【００２１】
本発明の第３の特徴は、水源からの水を加圧し送水管を介してスプリンクラーに送水するスプリンクラー消火ポンプと、内部に空気溜りを有し前記送水管の途中に連結された圧力タンクと、前記送水管内の圧力を検出する圧力検出手段と、前記圧力検出手段からの検出信号に基づいて前記スプリンクラー消火ポンプを運転制御する制御装置を備えたスプリンクラー消火ポンプシステムにおいて、前記スプリンクラー消火ポンプは、前記送水管内の圧力が設定値よりも低下したとき前記送水管内圧力を設定値以上に加圧する運転が可能な送水管増圧運転領域と、前記スプリンクラーが開放された際に該スプリンクラーに必要量の水を供給してスプリンクラー消火ポンプとして運転可能なスプリンクラー運転領域を確保できるポンプ性能を備えるものであり、前記圧力検出手段は、前記スプリンクラー消火ポンプを送水管増圧運転領域で始動させるための増圧運転始動圧力と、前記スプリンクラー消火ポンプをスプリンクラー運転領域で運転させるためのスプリンクラー運転始動圧力を検出可能なものであり、前記制御装置は、前記圧力検出手段が前記スプリンクラー運転始動圧力を検出した場合、前記スプリンクラー消火ポンプをスプリンクラー運転領域で運転させることにある。
【００２２】
上記において、前記制御装置は、マイクロプロセッサー及び記憶部を有しており、この記憶部には、前記送水管増圧運転領域での運転処理を行わせるためのプログラム、前記スプリンクラー運転領域での運転処理を行わせるためのプログラム、前記増圧運転始動圧力及び前記スプリンクラー運転始動圧力が記憶されていて、前記圧力検出手段が前記増圧運転始動圧力を検出した場合、前記スプリンクラー消火ポンプを送水管増圧運転領域で運転させるための運転指令信号を出力し、前記圧力検出手段が前記スプリンクラー運転始動圧力を検出した場合、前記スプリンクラー消火ポンプをスプリンクラー運転領域で運転させるための運転指令信号を出力するように構成すると良い。
【００２３】
更に、前記停止圧力及び前記復帰圧力も前記記憶部に記憶しておくことが好ましく、前記圧力検出手段が前記停止圧力を検出した場合、前記送水管増圧運転領域での運転を停止させる指令信号を出力するように構成することが好ましい。
【００２４】
また、前記スプリンクラー消火ポンプを送水管増圧運転領域で運転させるための運転指令信号を出力した後、前記圧力検出手段が前記スプリンクラー運転始動圧力を検出した場合には、前記スプリンクラー消火ポンプをスプリンクラー運転領域での運転に移行させるための運転指令信号を出力し、その後、送水管内圧力が上昇して前記圧力検出手段が前記復帰圧力或いは前記停止圧力を検出しても前記スプリンクラー消火ポンプはスプリンクラー運転領域での運転が維持されるように制御すると良い。
【００２５】
前記圧力検出手段は、前記スプリンクラー消火ポンプをスプリンクラー運転領域で運転させるためのスプリンクラー運転始動圧力を検出するための第１の圧力検出手段と、前記スプリンクラー消火ポンプを送水管増圧運転領域で始動させるための増圧運転始動圧力を検出するための第２の圧力検出手段とで構成することができる。
【００２６】
前記第１の圧力検出手段は、スプリンクラー運転領域での運転開始後前記送水管内の圧力が所定値以上に上昇したことを示す復帰圧力も検出するようにすると良い。また、前記第２の圧力検出手段は、前記送水管内の圧力が設定値以上に増圧された場合に増圧運転を停止させるための停止圧力も検出するようにすると良い。
【００２７】
また、前記圧力検出手段は、１つの圧力センサにより、前記スプリンクラー消火ポンプをスプリンクラー運転領域で運転させるためのスプリンクラー運転始動圧力、スプリンクラー運転領域での運転開始後前記送水管内の圧力が所定値以上に上昇したことを示す復帰圧力、前記スプリンクラー消火ポンプを送水管増圧運転領域で始動させるための増圧運転始動圧力及び前記送水管内の圧力が設定値以上に増圧された場合に増圧運転を停止させるための停止圧力のうち少なくとも２つ以上を検出するように構成することもできる。
【００２８】
前記制御装置には更に設定手段を設け、この設定手段から前記記憶部に、前記送水管増圧運転領域での運転処理を行わせるためのプログラム、前記スプリンクラー運転領域での運転処理を行わせるためのプログラム、前記増圧運転始動圧力、前記停止圧力、前記スプリンクラー運転始動圧力及び前記復帰圧力の少なくとも何れかを記憶させるように構成すると良い。
【００２９】
また、上記において、前記制御装置は、前記送水管増圧運転領域での運転中はこれに対応した報知（モニタ上への表示、ランプ点灯、ブザーなど）を出力し、前記スプリンクラー運転領域での運転中はこれに対応した警報表示（モニタ上への表示など）及び警報（ブザーやランプ点灯など）を出力することで、前記スプリンクラー消火ポンプが何れの領域で運転されているのかを報知する手段を備えることが特に好ましい。
【００３０】
更に、前記制御装置には、外部からの運転指令により前記スプリンクラー消火ポンプをスプリンクラー運転領域で運転させるための手段（外部運転指令により閉じられる接点など）を備えることも有効である。
【発明の効果】
【００３１】
本発明によれば、補助加圧ポンプ、及びその送水系統や付帯電気設備を不要にすることができ、設備費の大幅な低減を図り、配管系統、制御系統を簡素化することができる。また、スプリンクラーによる放水時には迅速にスプリンクラー消火ポンプを起動できるスプリンクラー消火ポンプシステムを得ることができる。
【００３２】
更に、送水管増圧運転領域での運転中はこれに対応した報知を出力し、スプリンクラー運転領域での運転中はこれに対応した警報表示及び警報を出力することで、スプリンクラー消火ポンプが何れの領域で運転されているのかを報知する手段を備えるようにすれば、スプリンクラー消火ポンプが補助加圧ポンプとしての代替運転を行っているときは、それを容易に認識でき、警備上の措置をとらなくて済むようにすることができる効果がある。
【図面の簡単な説明】
【００３３】
【図１】本発明のスプリンクラー消火ポンプシステムの実施例１を示す配管系統図。
【図２】図１に示すスプリンクラー消火ポンプの運転特性図。
【図３】図１に示すスプリンクラー消火ポンプシステムにおける制御の一例を示す制御回路図。
【図４】図１に示すスプリンクラー消火ポンプシステムにおける制御の他の例を示す制御回路図。
【図５】従来のスプリンクラー消化ポンプシステムを示す配管系統図。
【図６】図５に示すスプリンクラー消火ポンプ及び補助加圧ポンプの運転特性図。
【発明を実施するための形態】
【００３４】
以下、本発明の具体的実施例を図１〜図４により説明する。  
【実施例１】
【００３５】
図１は本発明のスプリンクラー消火ポンプシステムの実施例１を示す配管系統図で、上述した図５と同一符号を付した部分は同一または相当する部分を示している。  
本実施例では、図５に示す補助加圧ポンプ２０、駆動モータ２１、貯水槽２２、注水手段（ボールタップ）２３、吸込管２４、仕切弁２５，２７、逆止弁２６、送水管２９、水位検出手段３１、制御盤３０などが設けられていない。また、図５に示す圧力検出手段２８は第２圧力検出手段（ＰＳ２）として送水管７に取付けられており、この送水管７には第１圧力検出手段（ＰＳ１）８も設けられ、これら第１、第２の圧力検出手段８，２８は互いに近接して設置されている。他の構成は図５に示すものと略同一であるが、本実施例においては、スプリンクラー消火ポンプ３の構成、制御盤１６での制御構成が図５に示すものと異なっている。以下、これらの点について詳細に説明する。
【００３６】
図２は図１に示す本実施例におけるスプリンクラー消火ポンプ３の運転特性を説明する図であり、横軸は水量Ｑ、縦軸は全揚程Ｈを示している。また、曲線Ａは商用電源周波数ｆ０（固定速）でスプリンクラー消火ポンプ３を運転した時のＱ−Ｈ性能曲線であり、仕様点Ｏ１での水量がＱ０、全揚程がＨＴＳを満足する性能のものが選ばれている。また、本実施例におけるスプリンクラー消火ポンプ３は、図５に示す補助加圧ポンプ２０としての性能も同時に満たすものが使用されている。即ち、本実施例におけるスプリンクラー消火ポンプ３は、前記仕様点Ｏ１での性能を満足し、且つ、次に述べるスプリンクラー消火ポンプと捕助加圧ポンプの圧力領域を確保できる右下がりの揚程変化のあるＱ−Ｈ性能曲線をもつポンプが選択される。このような、低流量域では補助加圧ポンプと同等の圧力が得られ、且つ定格点ではスプリンクラー消火ポンプと同等の圧力及び流量を得ることができる性能のポンプは、羽根車の形状を適宜選択するなどにより、一般に容易に入手可能である。
【００３７】
前記図２において、ＳＰＯＮは、前記スプリンクラー消火ポンプ３がスプリンクラー運転領域（即ち、スプリンクラー消火ポンプとして運転される領域）Ｂで始動される始動圧力であり、前記第１圧力検出手段８のＯＮ圧力として設定される。また、ＳＰＯＦＦはこれの復帰圧力（スプリンクラー運転領域での運転開始後前記送水管内の圧力が所定値以上に上昇したことを示す圧力）である。  
また、図２において、ＪＰＯＮは、前記スプリンクラー消火ポンプ３が増圧運転領域（即ち、補助加圧ポンプとして運転される領域）Ｃで送水管の増圧運転を開始する増圧運転開始圧力であり、図５に示した補助加圧ポンプ２０の始動圧力に対応した圧力である。ＪＰＯＦＦは、前記スプリンクラー消火ポンプ３での増圧運転を停止させる圧力（増圧運転停止圧力）で、図５に示した補助加圧ポンプ２０の停止圧力に対応するものである。これらの圧力設定値は前記第２圧力検出手段２８に設定されている。
【００３８】
前記増圧運転領域Ｃでのスプリンクラー消火ポンプ３の性能は、仕様点Ｏ２（水量Ｑ００、全揚程ＪＴＳ）を満足するものが選ばれる。
【００３９】
このように、本実施例におけるスプリンクラー消火ポンプ３は、増圧運転領域Ｃ（第２圧力検出手段２８とその設定圧力範囲に対応）での運転と、スプリンクラー運転領域Ｂ（第１圧力検出手段８とその設定圧力範囲に対応）での運転とに区別されて運転制御される構成となっている。
【００４０】
図３は図１に示すスプリンクラー消火ポンプシステムにおける制御の一例を示す制御回路図である。図において、Ｒ，Ｓ，Ｔは電源、ＥＬＢは漏電遮断器であり、これ以降の主回路の漏電及び短絡保護を行う。Ｒ，Ｓは制御電源、５２ａは電磁接触器の主回路接点であり、電磁接触器のコイル５２が励磁されると閉路し、消磁すると開路する。４９はサーマルリレーであり、その検出部接点４９ａは過電流（過負荷）が流れると閉じる。ＢＳは運転操作専用のスイッチ、ＢＳＳは運転停止専用のスイッチ、ＫＰは機械的に記憶可能なリレー（本実施例では、キープリレーの例で示しておりＳＥＴコイルが励磁するとその接点ＫＰａが閉じ、ＲＥＳＥＴコイルが励磁するとその接点ＫＰａは開くように構成されている）であり、その接点ＫＰａが閉じると前記電磁接触器のコイル５２励磁されてその接点５２ａが閉じ、スプリンクラー消火ポンプ３は運転を開始する。
【００４１】
ＰＳ２は第２圧力検出手段２８の接点、ＡＵＸＰはリレーであり、前記圧力検出手段ＰＳ２の接点が閉じると励磁し、開くと消磁する。即ち、第２圧力検出手段２８は送水管７の送水圧力がＪＰＯＮ以下で閉じ、ＪＰＯＦＦ以上で開くように設定されており、送水管増圧運転領域に対応している。リレーＡＵＸＰの接点ＡＵＸＰａが閉じるとコイル５２が励磁されて電磁接触器の主回路接点５２ａが閉じ、スプリンクラー消火ポンプ３は運転を開始する。圧力がＪＰＯＦＦ以上になってＰＳ２が開くとスプリンクラー消火ポンプ３は停止する。このように送水管７内の圧力がＪＰＯＮからＪＰＯＦＦの間ではスプリンクラー消火ポンプ３は送水管増圧運転領域Ｃ（図２参照）で運転される。
【００４２】
ＰＳ１は第１圧力検出手段の接点、ＳＰＸはリレーであり、前記圧力検出手段ＰＳ１の接点が閉じると励磁し、開くと消磁する。即ち、第１圧力検出手段８は送水管７の送水圧力がＳＰＯＮ以下で閉じ、ＳＰＯＦＦ以上で開くように設定されており、スプリンクラー運転領域に対応している。リレーＳＰＸの接点ＳＰＸｃが閉じると、キープリレーＫＰのＳＥＴコイルが励磁されてその接点ＫＰａが閉じ、コイル５２が励磁されて電磁接触器の主回路接点５２ａを閉じて、スプリンクラー消火ポンプ３がスプリンクラー運転領域での運転Ｂを開始する。このスプリンクラー領域運転Ｂでは、ＰＳ１がＳＰＯＦＦ以上の圧力となって開いた場合でもキープリレーの接点ＫＰａは閉じられた状態を維持するからスプリンクラー消火ポンプ３の運転は継続され、スプリンクラー消火ポンプ３が停止して消化活動を停止してしまうのを防止する構成となっている。なお、スプリンクラー消火ポンプ３を強制的に停止させたい場合には、停止専用スイッチＢＳＳを押すことで、キープリレーＫＰのＲＥＳＥＴコイルが励磁され、その接点ＫＰａが開かれるようにして停止可能な構成としている。
【００４３】
また、本実施例では、上記増圧運転領域で運転中か、或いはスプリンクラー運転領域で運転中かがわかるように、表示ランプＬ１，Ｌ２によって表示するようにしている。即ち、リレーＡＵＸＰと並列に増圧運転領域で運転中であることを示す表示ランプＬ２を点灯させることで、スプリンクラー消火ポンプが補助加圧ポンプ代替運転を行っていることを表示することができ、火災発生でないことを管理人などに知らせることができるから、警備上の措置を取ってしまうのを回避できる。また、本実施例では、増圧運転領域での運転の場合にはスプリンクラー運転領域での運転とは明確に区別できる構成としているから、スプリンクラー消火ポンプが作動したことにより自動的に消防署に通報したり、火災報知器を鳴動させてしまうことも回避できる。
【００４４】
また、リレーＳＰＸと並列にスプリンクラー運転領域で運転中であることを示す表示ランプＬ１を点灯させることで、スプリンクラー９ａ〜９ｃが作動していることを表示することができる。
【００４５】
更に本実施例では、増圧運転領域に対応した圧力検出手段とスプリンクラー運転領域に対応した圧力検出手段を設けて、増圧運転領域とスプリンクラー運転領域を明確に分けているので、単なる漏水であるにもかかわらず、スプリンクラー消火ポンプを連続運転し、火災が発生していなくても警報を発して、保守及び警備上、問題を引起すことを確実に防止できる。しかも、本実施例では、増圧運転領域に対応した圧力検出手段とスプリンクラー運転領域に対応した圧力検出手段を設けているから、火災発生時には迅速にスプリンクラー運転領域での運転を開始でき、迅速な消化活動ができる効果もある。
【００４６】
尚、前述した停止専用スイッチＢＳＳを押すとスプリンクラー消火ポンプ３を強制的に停止させることができ、更に、外部運転指令信号により接点Gが閉じたり、運転操作専用スイッチＢＳが押されると、キープリレーＫＰのＳＥＴコイルが励磁されてその接点ＫＰａが閉じられ、スプリンクラー消火ポンプ３を強制的に運転することができる。
【００４７】
また、過負荷時などの過電流によりサーマルリレー４９が作動してその検出部接点４９ａが閉じたり、漏電遮断器ＥＬＢが作動してその接点ＥＬＢＡＬが閉じると、警報表示ランプＬ３、警報ブザーＫ、或いは外部端子（図示を省略しているがリレーＡＬの接点などを利用する）に出力される。
【００４８】
図４は図１に示すスプリンクラー消火ポンプシステムにおける制御の他の例を示す制御回路図で、図において、図３と同じ符号を付した部分は同一または相当する部分であり、説明を省略する。この例は制御回路を、ＣＰＵ、記憶部などを有する制御基板を用いて構成したものである。
【００４９】
図４において、ＳＳは制御装置ＣＴＬの運転／停止スイッチ、ＴＲはトランス、ＣＵは制御基板である。制御基板ＣＵは、次のように構成されている。
【００５０】
Ｚは安定化電源であり、前記トランスＴＲから電源の供給を受け、直流電源を生成して、前記制御基板ＣＵに供給する。ＣＰＵはマイクロプロセッサー、ＯＰはタッチースイッチ及び表示部を有するデジタルオペレータである。Ｍはメモリー（記憶部）で、プログラム（送水管増圧運転領域での運転処理を行わせるためのプログラムや、スプリンクラー運転領域での運転処理を行わせるためのプログラムなど）及び各種データが記憶され、更に圧力パラメータＪＰＯＮ、ＪＰＯＦＦ、ＳＰＯＮ、ＳＰＯＦＦ、更には圧力検出手段（例えば圧力センサ）ＰＳでの検出データ等が記憶されている。前記圧力検出手段ＰＳは送水管７に取り付けられて送水管内の圧力を検出するものであり、図１に示す第１及び第２の圧力検出手段８，２８を一つの圧力検出手段に統合したものである。圧力検出手段ＰＳで検出された圧力信号は、端子台ＴＢ４及び入力回路Ｉ／Ｏ３を介してＣＰＵに読み込まれ、送水管７内の圧力データとして記憶部Ｍに記憶される。
【００５１】
５２は電磁接触器のコイルで、図３と同様にスプリンクラー消火ポンプ３の始動条件が成立すると、ＣＰＵから出力回路Ｉ／Ｏ１及び端子台ＴＢ１の端子Ｏ３を介して出力され、コイル５２が励磁されて電磁接触器の接点５２ａが閉じ、スプリンクラー消火ポンプ３が起動される。
【００５２】
ＳＳ１は、送水管の増圧運転を外部から強制的に行うための加圧運転選択スイッチ、ＳＳ２はスプリンクラー運転領域での運転を外部から強制的に行うためのスプリンクラー運転選択スイッチであり、これらのスイッチが押されると端子台ＴＢ２及び入力回路Ｉ／Ｏ２を介してＣＰＵに読み込まれ、記憶部Ｍに記憶されると共に、スプリンクラー消火ポンプ３が起動される。
【００５３】
ＧＳは、外部から始動指令（例えば、火災報知器等からの始動指令）が入力された場合に閉じられる接点で、この接点ＧＳが閉じた場合にもスプリンクラー運転領域での運転が行なわれる。
【００５４】
また、この制御例でも、図３の例と同様に、第１圧力検出手段８の接点ＰＳ１、第２圧力検出手段２８の接点ＰＳ２、サーマルリレー検出部接点４９ａ、漏電遮断器ＥＬＢの接点（図４には図示せず）なども設けられている。
【００５５】
Ｒ１は送水管増圧運転領域でスプリンクラー消火ポンプ３が起動されている場合に点灯される増圧運転表示ランプ、Ｒ２はスプリンクラー運転領域でスプリンクラー消火ポンプ３が起動されている場合に点灯されるスプリンクラー運転表示ランプ、Ｋ１は送水管増圧運転時に鳴動する警報ブザー（または外部警報出力端子）、Ｋ２はスプリンクラー運転時に鳴動する警報ブザー（または外部警報出力端子）であり、ＣＰＵから出力回路Ｉ／Ｏ１及び端子台ＴＢ１を介して出力される。
【００５６】
以上のように構成したものにおいて、本スプリンクラー消火ポンプシステムは、通常は据付初期時の試運転等によって、送水管７の圧力は送水管保持圧力（増圧運転停止圧力）ＪＰＯＦＦ以上に加圧されてこの圧力を保持している。この状態から、送水管７で漏水が生じ、送水管圧力が送水管増圧運転開始圧力ＪＰＯＮ以下に低下すると、圧力検出手段（第２圧力検出手段２８または圧力センサＰＳ）がこれを検出し、ＣＰＵはコイル５２を励磁する信号を出力する。これによって、スプリンクラー消火ポンプ３は図２に示す曲線Ａで運転され、送水管７を加圧するのに必要十分な時間だけ増圧運転領域での運転を行い、送水管７内を加圧し、圧力がＪＰＯＦＦ以上になると停止する。そして、次の送水管の増圧運転に備える。
【００５７】
また、火災発生により送水管７の途中に取り付けられたスプリンクラー９ａ〜９ｃが開放され、送水管７の圧力がＳＰＯＮ以下まで低下すると、圧力検出手段（第１圧力検出手段８、第２圧力検出手段２８、または圧力センサＰＳ）がこれを検出し、ＣＰＵはコイル５２を励磁する信号を出力する。この場合も、スプリンクラー消火ポンプ３は図２に示す曲線Ａで運転される（スプリンクラー領域運転）。尚、この場合には、第２圧力検出手段２８（ＰＳ２）が検出したことによる送水管の増圧運転は無効にされるようにして、スプリンクラー運転領域で即座に運転されるようにしている。
【００５８】
次に、本実施例における動作を説明する。  
スプリンクラー消火ポンプ３は水源１からの水を送水管７に吐出し、スプリンクラー９ａ〜９ｃに送水する。圧力タンク１０は内部に空気溜りを有していて送水管７内の圧力を保持するようにしている。第１及び第２の圧力検出手段８，２８は、吐出側の送水管７に取り付けられ、ここの圧力を検出する。また、前記第１圧力検出手段（ＰＳ１）８をスプリンクラー運転領域用に、第２圧力検出手段（ＰＳ２）２８を送水管増圧運転領域用に夫々対応させる。なお、上述したように、第１及び第２の圧力検出手段８，２８を１つの圧力センサＰＳで兼用させるようにしても良い。
【００５９】
図４に示す制御装置ＣＴＬは、前記第２圧力検出手段２８が始動圧力（増圧運転開始圧力）ＪＰＯＮを検出したとき、前記制御装置から前記スプリンクラー消火ポンプ３に送水管７の増圧運転領域での運転を開始するように指令信号を出力し、増圧運転停止圧力ＪＰＯＦＦを検出したとき前記増圧運転を停止する指令信号を出力する。
【００６０】
また、前記制御装置ＣＴＬは、前記第１圧力検出手段８が始動圧力ＳＰＯＮを検出したとき、制御装置から前記スプリンクラー消火ポンプ３にスプリンクラー運転領域での運転を開始するように指令信号を出力する。
【００６１】
また、最初に第２圧力検出手段２８が始動圧力ＪＰＯＮを検出し、制御装置からスプリンクラー消火ポンプ３に増圧運転領域での運転指令信号を出力した後、第１圧力検出手段８からも始動圧力ＳＰＯＮを検出した場合には、増圧運転領域からスプリンクラー運転領域に移行するように前記制御装置から指令信号が出力される。
【００６２】
その後、送水管７内の圧力が上昇し、第１圧力検出手段８が復帰圧力ＳＰＯＦＦを検出したり、更に第２圧力検出手段２８が停止圧力ＪＰＯＦＦを検出した場合でも、スプリンクラー消火ポンプ３は停止されずにスプリンクラー運転領域での運転が維持されるように構成されている。
【００６３】
また、図４に示す制御装置ＣＴＬには、マイクロプロセッサーＣＰＵ及び記憶部Ｍを有しており、この記憶部Ｍには、送水管増圧運転領域での運転処理を行わせるためのプログラム、及びこの領域での始動圧力ＪＰＯＮや停止圧力ＪＰＯＦＦのパラメータ、スプリンクラー運転領域での運転処理を行わせるためのプログラム、及びこの領域での始動圧力ＳＰＯＮや復帰圧力ＳＰＯＦＦのパラメータなどが記憶されている。このような制御装置を用い、前記第１及び第２の圧力検出手段８，２８を１つの圧力センサＰＳで兼用することもできる。これらは必要に応じて適宜選択して使用する。次に圧力センサＰＳで兼用した場合の動作について説明する。
【００６４】
この場合、前記制御装置は、前記圧力検出手段（圧力センサ）ＰＳから送水管増圧運転の始動圧力ＪＰＯＮを検出した信号を取り込んだとき前記スプリンクラー消火ポンプ３には送水管増圧運転領域での運転指令信号を出力し、停止圧力ＪＰＯＦＦを検出したときには運転停止信号を出力するように構成されている。
【００６５】
前記スプリンクラー消火ポンプ３の運転領域は送水管増圧運転領域とスプリンクラー運転領域とに分けられており、前記送水管増圧運転領域での運転指令信号により起動されて図２に示す増圧運転領域で運転される。また、前記運転停止信号により送水管増圧運転領域での運転を停止する。
【００６６】
また、前記制御装置ＣＴＬは、前記圧力検出手段ＰＳからスプリンクラー運転領域での始動圧力ＪＰＯＮを検出した信号を取り込んだとき前記スプリンクラー消火ポンプ３にスプリンクラー運転領域での運転指令信号を出力し、スプリンクラー消火ポンプ３はスプリンクラー運転領域で運転開始される。なお、スプリンクラー消火ポンプ３が既に増圧運転領域で運転されている場合には、スプリンクラー運転領域に移行する指令信号が出力される。
【００６７】
このスプリンクラー運転領域で運転を開始された後は、送水管７内の圧力が上昇して前記圧力検出手段が復帰圧力ＳＰＯＦＦを検出したり、送水管保持圧力（増圧運転の停止圧力）ＪＰＯＦＦを検出しても、スプリンクラー消火ポンプ３は停止せずにスプリンクラー運転領域での運転が維持される。
【００６８】
図４に示すように、前記制御装置ＣＴＬには、デジタルオペレータＯＰが設けられており、このデジタルオペレータＯＰにはタッチースイッチなどで構成された設定手段３５や表示部（モニタ）３６が設けられていて、前記記憶部Ｍに、前記設定手段３５で設定した送水管増圧運転領域処理（運転プログラム）及びこの領域での始動圧力や停止圧力のパラメータ、スプリンクラー運転領域処理（運転プログラム）及びこの領域での始動圧力パラメータなどが記憶される。
【００６９】
また、送水管増圧運転領域やスプリンクラー運転領域での運転中は、前記表示部３６にそれらに対応した運転表示や警報表示を出力し、更にこれらの運転領域を区別するような警報出力（表示ランプやブザーなど）をする。これらの表示や警報出力により、スプリンクラー消火ポンプ３が何れの領域で運転されているのかを区別できるように知らせることができる。
【００７０】
なお、上記動作の説明は、図４に示す制御装置の例で説明したが、図３に示す制御装置の例でも同様の動作が可能である。図３の例では図４に示すようなデジタルオペレータＯＰを備えていないので、モニタ上に運転状態を示す運転表示や警報表示はできないが、表示ランプやブザーなどによる警報出力は可能であり、スプリンクラー消火ポンプ３が何れの領域で運転されているのかを知らせることができる。
【００７１】
また、上記において、スプリンクラー運転領域でのスプリンクラー消火ポンプ３の始動条件として、第１圧力検出手段８や圧力検出手段ＰＳからの信号だけでなく、外部からの運転指令（例えば、火災報知器等からの始動指令）でＯＮされる接点（図３に示すＧや図４に示すＧＳ）を設けるようにすると、火災発生時などにより迅速、確実にスプリンクラー消火ポンプ３を作動させることが可能となる。これは図３に示す制御装置の例では、第１圧力検出手段ＰＳ１と並列に外部運転指令で閉じられる接点Ｇを設けることで、スプリンクラー消火ポンプ３をスプリンクラー運転領域で運転開始させるためのリレーＳＰＸを励磁させるようにすることが可能である。図４に示す制御装置の例でも、外部運転指令で閉じられる接点ＧＳを設けることで、端子台ＴＢ２、入力回路Ｉ／Ｏ２を介してマイクロプロセッサＣＰＵに外部運転指令を取り込み、ここから出力回路Ｉ／Ｏ１、端子台ＴＢ１を介してリレー５２を励磁し、スプリンクラー消火ポンプ３をスプリンクラー運転領域で運転開始させることができる。
【００７２】
上述した本実施例によれば、スプリンクラー消火ポンプに補助加圧ポンプとしての機能を兼用させることができるので、補助加圧ポンプと、その送水系統及びその付帯の電気設備などを省くことができる。従って、設備費の低減を図り、配管系統、制御系統を簡素化した安価なスプリンクラー消火ポンプシステムを得ることができる。
【００７３】
また、本実施例によれば、増圧運転始動圧力及びスプリンクラー運転始動圧力を検出する圧力検出手段を備え、この圧力検出手段がスプリンクラー運転始動圧力を検出した場合には前記スプリンクラー消火ポンプにスプリンクラー運転領域で運転させるための運転指令信号を出力して、スプリンクラー消火ポンプを起動させるので、スプリンクラー消火ポンプに補助加圧ポンプとしての機能を兼用させていながら、火災発生時などスプリンクラーによる放水時には迅速にスプリンクラー消火ポンプを起動することができる効果がある。
【００７４】
更に、送水管増圧運転領域での運転中はこれに対応した報知（モニタ上への表示、ランプ点灯、ブザーなど）を出力し、スプリンクラー運転領域での運転中はこれに対応した警報表示（モニタ上への表示など）及び警報（ブザーやランプ点灯など）を出力することで、スプリンクラー消火ポンプが何れの領域で運転されているのかを報知することができ、スプリンクラー消火ポンプが補助加圧ポンプとしての代替運転を行っているときは、それを容易に認識でき、警備上の措置をとらなくて済むようにできる効果がある。
【符号の説明】
【００７５】
１…水源
３…スプリンクラー消火ポンプ
４，２１…駆動モータ
５，１２，２６…逆止弁
７…送水管
８，２８，ＰＳ…圧力検出手段（圧力センサ）（８：第１圧力検出手段（ＰＳ１）、２８：第２圧力検出手段（ＰＳ２））
９ａ，９ｂ，９ｃ…スプリンクラー
１０…圧力タンク
１１…呼水配管
１３…呼水槽
１４…注水手段
１５…水位検出手段
１６，３０…制御盤
１７…火災報知器
２０…補助加圧ポンプ
３５…設定手段
３６…表示部
４９…サーマルリレー（４９ａ…サーマルリレーの検出部接点）
５２…コイル（電磁接触器）（５２ａ…電磁接触器の主回路接点）
ＣＴＬ…制御装置、ＣＵ…制御基板
ＥＬＢ…漏洩遮断機（ＥＬＢＡＬ…漏洩遮断機の接点）
Ｆ…ヒューズ
Ｇ，ＧＳ…外部指令で閉じられる接点
ＯＰ…デジタルオペレータ
ＳＳ…制御装置の運転／停止スイッチ
ＴＲ…トランス
Ｚ…安定化電源。
【図１】
2011239930.tif 000003
【図２】
2011239930.tif 000004
【図３】
2011239930.tif 000005
【図４】
2011239930.tif 000006
【図５】
2011239930.tif 000007
【図６】
2011239930.tif 000008